(57)【要約】【課題】複数の録画機器と表示装置とがＨＤＭＩ接続され、表示装置に録画予約要求がなされたときに、複数の録画機器の空き容量や録画予約状況から、録画予約可能な録画機器を検索して録画予約を行う。【解決手段】ＴＶ３０は、放送信号を受信可能な複数のレコーダ１０１〜１０３とＨＤＭＩ接続するＨＤＭＩコネクタ３８と、ユーザ操作に従って録画予約データを入力するリモコン装置Ｒと、ＣＥＣコマンドを使用して、録画予約要求を複数のレコーダ１０１〜１０３のいずれかに送信するＣＥＣ・Ｉ／Ｆ３３とを備える。レコーダ１０は、ＴＶ３０からの録画予約要求に対して、録画予約可能であるか判定し、録画予約が可能であれば、録画予約データを設定し、録画予約が不可であれば、その旨をＴＶ３０に通知する。ＴＶ３０は、録画予約要求を送信したレコーダが録画予約不可な場合、録画予約要求を複数のレコーダ１０１〜１０３に含まれる他のレコーダに送信する。【選択図】図２
2008067025.tif 000002
【特許請求の範囲】
【請求項１】
放送信号を受信可能な複数の録画機器と、該複数の録画機器と接続する接続手段を備えた表示装置とを有する録画予約システムであって、
前記表示装置は、ユーザ操作に従って録画予約データを入力する録画予約データ入力手段と、所定のコマンドを使用して、前記録画予約データに基づく録画予約要求を前記複数の録画機器のいずれかに送信する録画予約要求送信手段とを備え、
前記録画機器は、前記表示装置から受信した録画予約要求に対して、録画予約可能であるかどうかを判定する判定手段を備え、前記録画予約要求による録画予約が可能であれば、前記録画予約要求の録画予約データを設定し、一方、前記録画予約要求による録画予約が不可であれば、その旨を前記表示装置に通知し、
前記録画予約要求送信手段は、前記録画予約要求を送信した録画機器が録画予約不可な状態にある場合、前記録画予約要求を前記複数の録画機器に含まれる他の録画機器に送信することを特徴とする録画予約システム。
【請求項２】
請求項１に記載の録画予約システムにおいて、前記表示装置は、前記複数の録画機器全てが録画予約不可な状態にある場合、前記録画予約要求による録画予約ができない旨を通知することを特徴とする録画予約システム。
【請求項３】
請求項１に記載の録画予約システムにおいて、前記表示装置は、前記録画予約要求送信手段により録画予約要求が送信され、該録画予約要求の録画予約データが設定された録画機器を通知することを特徴とする録画予約システム。
【請求項４】
請求項１乃至３のいずれか１項に記載の録画予約システムにおいて、前記録画予約データは、録画予約するチャンネル、録画開始日時、録画終了日時、録画モード、録画容量のいずれか複数を含み、前記録画機器は、前記表示装置から録画予約要求を受信すると、前記判定手段により前記録画機器の空き容量及び設定済み録画予約データを参照し、その結果、録画日時の重複あるいは録画容量の不足があった場合、前記録画予約要求による録画予約ができないと判定することを特徴とする録画予約システム。
【請求項５】
請求項４に記載の録画予約システムにおいて、前記録画機器は、録画容量の不足により録画予約ができない場合であって、録画モードを変更することにより録画予約が可能となる場合、その旨を前記表示装置に通知し、前記表示装置は、録画モードを変更するかどうかをユーザに確認するための録画モード確認画面を表示することを特徴とする録画予約システム。
【請求項６】
請求項１乃至５のいずれか１項に記載の録画予約システムにおいて、前記接続手段は、ＨＤＭＩ規格に準じた接続を行う手段であり、前記所定のコマンドは、ＨＤＭＩ規格に基づくＣＥＣコマンドであることを特徴とする録画予約システム。
【請求項７】
放送信号を受信可能な複数の録画機器と接続する接続手段を備えた表示装置であって、
所定のコマンドを使用して、前記複数の録画機器から空き容量及び設定済み録画予約データを含む録画予約状態情報を取得する録画予約状態情報取得手段と、該取得した録画予約状態情報を録画機器毎に記憶する記憶手段と、ユーザ操作に従って録画予約データを入力する録画予約データ入力手段と、該録画予約データ入力手段により録画予約データが入力されると、前記記憶手段に記憶された前記複数の録画機器の録画予約状態情報を参照し、録画予約可能な録画機器を検索する検索手段と、所定のコマンドを使用して、前記録画予約データ入力手段により入力された録画予約データに基づく録画予約要求を、前記検索手段で検索された録画機器に送信する録画予約要求送信手段とを備えることを特徴とする表示装置。
【請求項８】
請求項７に記載の表示装置において、前記録画機器から録画予約状態情報の更新通知があった場合、該更新通知に基づいて前記記憶手段に記憶されている録画予約状態情報を更新することを特徴とする表示装置。
【請求項９】
請求項７又は８に記載の表示装置において、前記複数の録画機器全てが録画予約不可な状態にある場合、前記録画予約要求による録画予約ができない旨を通知することを特徴とする表示装置。
【請求項１０】
請求項７又は８に記載の表示装置において、前記録画予約要求送信手段により録画予約要求が送信された録画機器を通知することを特徴とする表示装置。
【請求項１１】
請求項７乃至１０のいずれか１項に記載の表示装置において、前記録画予約データは、録画予約するチャンネル、録画開始日時、録画終了日時、録画モード、録画容量のいずれか複数を含み、前記検索手段は、前記録画予約データ入力手段により録画予約データが入力されると、前記記憶手段に記憶された前記複数の録画機器の録画予約状態情報を参照し、その結果、録画日時の重複あるいは録画容量の不足があった場合、当該録画機器について前記録画予約データによる録画予約ができないと判定することを特徴とする表示装置。
【請求項１２】
請求項１１に記載の表示装置において、録画容量の不足により録画予約ができないと判定された録画機器が、録画モードを変更することにより録画予約が可能となる場合、録画モードを変更するかどうかをユーザに確認するための録画モード確認画面を表示することを特徴とする表示装置。
【請求項１３】
請求項７乃至１２のいずれか１項に記載の表示装置において、前記接続手段は、ＨＤＭＩ規格に準じた接続を行う手段であり、前記所定のコマンドは、ＨＤＭＩ規格に基づくＣＥＣコマンドであることを特徴とする表示装置。
【発明の詳細な説明】
【技術分野】
【０００１】
本発明は、録画予約システム及び表示装置、より詳細には、ＨＤＭＩ（High Definition Multimedia Interface）等のデジタルインタフェースにより複数の録画機器と表示装置とが接続され、いずれか１つの録画機器に対して録画予約を行うための録画予約システムに関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００３】
上記ＨＤＭＩをはじめとするデジタルインタフェースを備え、さらに、衛星、ＣＡＴＶ、地上波などのデジタルテレビ放送信号を受信するチューナ機能を備えたレコーダやテレビ（以下、放送受信装置）において、これら放送受信装置で受信した放送データ中の番組情報を表示させる電子番組ガイド（ＥＰＧ）が知られている。
【０００４】
このような放送受信装置において録画予約する場合、例えば、受信したＥＰＧからオンスクリーンディスプレイ（ＯＳＤ）用のデータを作成し、これをモニタ表示する。ユーザはリモコン等を操作してＯＳＤ上で録画予約したい番組を選択する。そして、選択された番組に関する録画予約データが生成され、記憶される。放送受信装置は、録画予約データを監視し、録画予約開始時刻になると、チャンネルを選局し録画を開始する。
【０００５】
この際、一台の放送受信装置を使用する場合には、録画予約データが重複したとしても、どちらか一方のみが有効とされるため問題ないが、複数台の放送受信装置を使用する場合、各々の装置に対して個別に設定することになるため、録画予約データが重複していてもそのまま設定されてしまっていた。また、１つの放送受信装置で録画予約が受け付けられなかった場合、ユーザは別の放送受信装置に同様の録画予約操作を繰り返す必要があった。
【０００６】
これに対して、特許文献１には、複数台の放送受信装置における番組の予約管理を容易にするために、ＩＥＥＥ１３９４を用いた番組予約システムが記載されている。これは、複数の放送受信装置と予約制御装置とを備えたシステムであって、予約制御装置はＩＥＥＥ１３９４に準拠したインタフェースにより複数の放送受信装置と通信可能に接続されている。例えば、１つの放送受信装置において番組予約に重複が発生した場合、当該番組予約に関する予約情報がＩＥＥＥ１３９４にインタフェースを介して予約制御装置に通知される。予約制御装置は、上記放送受信装置を除く他の放送受信装置に対して、通知された予約情報に基づく番組予約を、ＩＥＥＥ１３９４インタフェースを介して行う。
【特許文献１】特開２００１−３３３３３７号公報
【発明の開示】
【発明が解決しようとする課題】
【０００７】
しかしながら、上記特許文献１に記載の発明の場合、録画日時の重複だけが判定されているため、日時の重複がなければ、ＨＤＤの空き容量が不足していても録画予約が受け付けられてしまう。従って、予約した番組が途中までしか録画されないという事態が起こり得る。また、複数の放送受信装置における番組予約を制御する予約制御装置が別に必要であるため、システム構成が複雑になるという問題があった。
【０００８】
本発明は、上述のごとき実情に鑑みてなされたものであり、複数の録画機器と表示装置とがＨＤＭＩ接続され、表示装置に録画予約要求がなされたときに、複数の録画機器の空き容量や録画予約状況から、録画予約可能な録画機器を検索して録画予約を行う録画予約システム及び表示装置を提供すること、を目的とする。
【課題を解決するための手段】
【０００９】
上記課題を解決するために、本発明の第１の技術手段は、放送信号を受信可能な複数の録画機器と、複数の録画機器と接続する接続手段を備えた表示装置とを有する録画予約システムであって、表示装置は、ユーザ操作に従って録画予約データを入力する録画予約データ入力手段と、所定のコマンドを使用して、録画予約データに基づく録画予約要求を複数の録画機器のいずれかに送信する録画予約要求送信手段とを備え、録画機器は、表示装置から受信した録画予約要求に対して、録画予約可能であるかどうかを判定する判定手段を備え、録画予約要求による録画予約が可能であれば、録画予約要求の録画予約データを設定し、一方、録画予約要求による録画予約が不可であれば、その旨を表示装置に通知し、録画予約要求送信手段は、録画予約要求を送信した録画機器が録画予約不可な状態にある場合、録画予約要求を複数の録画機器に含まれる他の録画機器に送信することを特徴としたものである。
【００１０】
第２の技術手段は、第１の技術手段において、表示装置は、複数の録画機器全てが録画予約不可な状態にある場合、録画予約要求による録画予約ができない旨を通知することを特徴としたものである。
【００１１】
第３の技術手段は、第１の技術手段において、表示装置は、録画予約要求送信手段により録画予約要求が送信され、録画予約要求の録画予約データが設定された録画機器を通知することを特徴としたものである。
【００１２】
第４の技術手段は、第１乃至第３のいずれか１の技術手段において、録画予約データは、録画予約するチャンネル、録画開始日時、録画終了日時、録画モード、録画容量のいずれか複数を含み、録画機器は、表示装置から録画予約要求を受信すると、判定手段により録画機器の空き容量及び設定済み録画予約データを参照し、その結果、録画日時の重複あるいは録画容量の不足があった場合、録画予約要求による録画予約ができないと判定することを特徴としたものである。
【００１３】
第５の技術手段は、第４の技術手段において、録画機器は、録画容量の不足により録画予約ができない場合であって、録画モードを変更することにより録画予約が可能となる場合、その旨を表示装置に通知し、表示装置は、録画モードを変更するかどうかをユーザに確認するための録画モード確認画面を表示することを特徴としたものである。
【００１４】
第６の技術手段は、第１乃至第５のいずれか１の技術手段において、接続手段は、ＨＤＭＩ規格に準じた接続を行う手段であり、所定のコマンドは、ＨＤＭＩ規格に基づくＣＥＣコマンドであることを特徴としたものである。
【００１５】
第７の技術手段は、放送信号を受信可能な複数の録画機器と接続する接続手段を備えた表示装置であって、所定のコマンドを使用して、複数の録画機器から空き容量及び設定済み録画予約データを含む録画予約状態情報を取得する録画予約状態情報取得手段と、取得した録画予約状態情報を録画機器毎に記憶する記憶手段と、ユーザ操作に従って録画予約データを入力する録画予約データ入力手段と、録画予約データ入力手段により録画予約データが入力されると、記憶手段に記憶された複数の録画機器の録画予約状態情報を参照し、録画予約可能な録画機器を検索する検索手段と、所定のコマンドを使用して、録画予約データ入力手段により入力された録画予約データに基づく録画予約要求を、検索手段で検索された録画機器に送信する録画予約要求送信手段とを備えることを特徴としたものである。
【００１６】
第８の技術手段は、第７の技術手段において、録画機器から録画予約状態情報の更新通知があった場合、更新通知に基づいて記憶手段に記憶されている録画予約状態情報を更新することを特徴としたものである。
【００１７】
第９の技術手段は、第７又は第８の技術手段において、複数の録画機器全てが録画予約不可な状態にある場合、録画予約要求による録画予約ができない旨を通知することを特徴としたものである。
【００１８】
第１０の技術手段は、第７又は第８の技術手段において、録画予約要求送信手段により録画予約要求が送信された録画機器を通知することを特徴としたものである。
【００１９】
第１１の技術手段は、第７乃至第１０のいずれか１の技術手段において、録画予約データは、録画予約するチャンネル、録画開始日時、録画終了日時、録画モード、録画容量のいずれか複数を含み、検索手段は、録画予約データ入力手段により録画予約データが入力されると、記憶手段に記憶された複数の録画機器の録画予約状態情報を参照し、その結果、録画日時の重複あるいは録画容量の不足があった場合、当該録画機器について録画予約データによる録画予約ができないと判定することを特徴としたものである。
【００２０】
第１２の技術手段は、第１１の技術手段において、録画容量の不足により録画予約ができないと判定された録画機器が、録画モードを変更することにより録画予約が可能となる場合、録画モードを変更するかどうかをユーザに確認するための録画モード確認画面を表示することを特徴としたものである。
【００２１】
第１３の技術手段は、第７乃至第１２のいずれか１の技術手段において、接続手段は、ＨＤＭＩ規格に準じた接続を行う手段であり、所定のコマンドは、ＨＤＭＩ規格に基づくＣＥＣコマンドであることを特徴としたものである。
【発明の効果】
【００２２】
本発明によれば、複数の録画機器と表示装置とがＨＤＭＩ接続され、表示装置に録画予約要求がなされたときに、複数の録画機器の空き容量や録画予約状況から、録画予約可能な録画機器を検索して録画予約を行うことができるため、ユーザは１回だけ録画予約操作を実行すればよく、各録画機器に対して録画予約操作を繰り返す必要がない。これにより、自動的に最適な録画機器に録画予約が設定され、また、録画予約可能な録画機器がない場合でもその旨が通知されるため、ユーザは録画予約を確実且つ簡単に行うことができる。
【発明を実施するための最良の形態】
【００２３】
本発明の実施形態においては、ＨＤＭＩ規格に含まれるＣＥＣ(Consumer Electronics Control)を使用する。ここでは、複数の録画機器と表示装置とがＨＤＭＩ接続され、表示装置に録画予約要求がなされたときに、複数の録画機器の空き容量や録画予約状況から、録画予約可能な録画機器を検索して録画予約を行うことができるようになる。なお、ＣＥＣは、ＨＤＭＩで規格化されている制御プロトコルであり、そのプロトコルに基づく制御信号であるＣＥＣコマンドが接続機器間でやり取りされる。
【００２４】
図１は、本発明が適用可能なＡＶシステムの構成例を説明するためのブロック図で、出力装置１０と、リピータ機器２０と、表示装置３０とが接続されている構成を示すものである。出力装置１０とリピータ機器２０とはＨＤＭＩケーブルによって接続され、さらにリピータ機器２０と表示装置３０とがＨＤＭＩケーブルによって接続される。
【００２５】
出力装置１０は、例えばＨＤＭＩ出力端子を持つＤＶＤレコーダやＨＤＤレコーダ、ＤＶＤプレーヤ、Ｄ−ＶＨＳレコーダ、デジタルビデオカメラなどであり、リピータ機器２０は、ＨＤＭＩ入力端子と出力端子とをもつＡＶアンプなどであり、表示装置３０は、ＨＤＭＩ入力端子をもつ液晶テレビやモニタなどである。ＡＶアンプなどのリピータ機器２０が複数のＨＤＭＩ入力端子を持っていれば、複数の出力装置１０を接続することができ、ＡＶアンプのセレクタ機能によって入力ラインを切り替えることができる。
【００２６】
ＨＤＭＩケーブルは、デジタル信号である映像・音声信号を差動方式で伝送するためのＴＭＤＳ（Transition Minimized Differential Signaling）ライン（デジタル信号転送ライン）４１と、機器間で共通の制御信号（ＣＥＣコマンド）を伝送する双方向バスであるＣＥＣライン４２とを含んでいる。またこの他、ＨＤＭＩケーブルには、ＥＤＩＤ（Extended Display Identification Data）の送信やＨＤＣＰ認証等に利用される図示しないＤＤＣラインが含まれる。
【００２７】
ビデオ／音声を含むストリームは、ＴＭＤＳライン４１用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００２８】
また本発明に関わる表示装置３０の全録画リスト表示を行うために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００２９】
出力装置１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００３０】
ＣＥＣ Ｉ／Ｆ１４は、ＨＤＭＩケーブル内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。例えば、一方の機器（表示装置３０）からスタンバイ状態にある他方の機器（出力装置１０）に対して、電源オンを指示するＣＥＣコマンドを送信することにより電源をオンさせるなどの制御を行うことが可能となる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００３１】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００３２】
リピータ機器２０は、ＨＤＭＩレシーバ２１、ＨＯＳＴ ＣＰＵ２２、フロントマイコン２３、ＨＤＭＩトランスミッタ２４、及びＣＥＣ Ｉ／Ｆ２５を備えている。リピータ機器２０は、出力装置１０から転送されたストリームをＨＤＭＩレシーバ２１で受信し、さらにＨＤＭＩトランスミッタ２４から送出して、表示装置３０に転送する。またＣＥＣ Ｉ／Ｆ２５によって、出力装置１０との間のＣＥＣライン４２と、表示装置３０との間のＣＥＣライン４２とを接続する。
【００３３】
ＨＯＳＴ ＣＰＵ２２とフロントマイコン２３は、上述の出力装置１０と同様の機能を備え、ＨＯＳＴ ＣＰＵ２２は、ＨＤＭＩレシーバ２１とＨＤＭＩトランスミッタ２４とを制御するとともに装置全体を制御する。フロントマイコン２３はＣＥＣコントローラを含み、ＣＥＣライン４２から転送されてくるＣＥＣコマンドを監視する。
【００３４】
またＡＶアンプなどのように、リピータ機器２０に複数のＨＤＭＩ入力端子がある場合、複数のＨＤＭＩ機器を出力装置として接続することができる。この場合、リピータ機器２０のセレクト機能より、表示装置３０に転送するストリームの入力ポートを適宜切り替えることができる。そしてストリームの入力ポートの切替は、表示装置３０に対する操作に応じたＣＥＣコマンドによって実現することができる。
【００３５】
表示装置３０は、ＨＤＭＩレシーバを内蔵したＨＯＳＴ ＣＰＵ３１、モニターマイコン３２、ＣＥＣ Ｉ／Ｆ３３、及び受光部３４を備えている。表示装置３０は、リピータ機器２０で転送されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。
【００３６】
ＨＯＳＴ ＣＰＵ３１は、ＨＤＭＩレシーバを内蔵し、また装置全体を制御している。またモニターマイコン３２は、ＣＥＣコントローラを含み、ＣＥＣライン４２から転送されてくるＣＥＣコマンドを監視する。モニターマイコン３２は、リモコン装置Ｒからのリモコン信号を受信する受光部３４を制御している。そして装置のスタンバイモードなどにおいてＨＯＳＴ ＣＰＵ３１がダウンしているときでも、モニターマイコン３２が動作し、ＣＥＣコマンドの送受信とリモコン信号の受信とが可能な状態に維持している。
【００３７】
表示装置３０では、ＨＯＳＴ ＣＰＵ３１に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り替えられる。
【００３８】
（第１の実施形態）
図２は、本発明の第１の実施形態に係る録画予約システムの構成例を示すブロック図である。出力装置（以下、レコーダ）１０は、前述したＨＤＭＩトランスミッタ１１、ＨＯＳＴ・ＣＰＵ１２、フロントマイコン１３、ＣＥＣ・Ｉ／Ｆ１４に加えて、録画予約データを記憶する録画予約データ記憶部１５と、ＨＤＭＩ接続するためのＨＤＭＩコネクタ１６と、番組データ（映像／音声データ）を記憶するハードディスク（ＨＤＤ）１７と、テレビジョン放送信号を受信するチューナ１８とを備えて構成される。レコーダ１０は、録画指示があると、チューナ１８で受信したテレビジョン放送信号の番組データをＨＤＤ１７に記憶する。
【００３９】
また、表示装置（以下、ＴＶ）３０は、前述したＨＯＳＴ・ＣＰＵ３１、モニターマイコン３２、ＣＥＣ・Ｉ／Ｆ３３、受光部３４に加えて、ＴＶ３０の録画予約データ（視聴予約データ）を記憶するメモリ３５と、各種のオンスクリーン信号を生成するＯＳＤ処理部３６と、液晶ディスプレイなどで構成される表示部３７と、本発明の接続手段に相当するＨＤＭＩコネクタ３８とを備えて構成される。
【００４０】
本実施形態のＴＶ３０はＨＤＭＩコネクタ３８を介してレコーダ１０１と接続され、さらに他のレコーダ１０２，１０３と直接にあるいはＡＶアンプなどの他の外部機器を介して間接に接続されているものとする。これら複数のレコーダ１０１，１０２，１０３をレコーダ１０でしばしば代表する。ＴＶ３０は、ユーザにより録画予約操作がなされると、ＴＶ３０に接続された１つのレコーダ１０１へその録画予約要求を送信する。そして、レコーダ１０１で録画予約要求が受け付けられなかったときにはＴＶ３０に接続された他のレコーダ１０２へ同じ録画予約要求を自動送信する。そこで録画予約要求が受け付けられた場合、当該他のレコーダ１０２に録画予約を設定し、受け付けられない場合、さらに他のレコーダ１０３へ同じ録画予約要求を自動送信する。また、ＴＶ３０は、ネットワーク上にこれ以上他のレコーダがないときは、ＴＶ３０に接続された複数のレコーダのいずれでも録画予約ができない旨を示すメッセージを画面上に表示する。
【００４１】
図２において、ＴＶ３０は、ユーザ操作に従って録画予約データを入力する録画予約データ入力手段と、ＣＥＣコマンドを使用して、録画予約データに基づく録画予約要求を複数のレコーダ１０１，１０２，１０３のいずれかに送信する録画予約要求送信手段とを備える。録画予約データ入力手段はリモコン装置Ｒにより実現され、録画予約要求送信手段はＣＥＣ・Ｉ／Ｆ３３、モニターマイコン３２、及びＨＯＳＴ・ＣＰＵ３１により実現される。
【００４２】
ＨＯＳＴ・ＣＰＵ３１は、ＯＳＤ処理部３６を制御して、ＥＰＧ（電子番組表）画面あるいは録画予約画面を生成・表示させ、ユーザはＥＰＧ画面あるいは録画予約画面に対して、リモコン装置Ｒを操作して録画予約データを入力する。入力された録画予約データはメモリ３５に記憶される。そして、この録画予約データは、ＣＥＣコマンドを使用して、録画予約要求として各レコーダへ送信される。
【００４３】
レコーダ１０は、ＴＶ３０から受信した録画予約要求に対して、録画予約可能であるかどうかを判定する判定手段を備える。この判定手段はＨＯＳＴ・ＣＰＵ１２により実現される。ＨＯＳＴ・ＣＰＵ１２は、録画予約要求による録画予約が可能であれば、録画予約要求の録画予約データを録画予約データ記憶部１５に記憶（設定）する。一方、ＨＯＳＴ・ＣＰＵ１２は、録画予約要求による録画予約が不可であれば、ＣＥＣコマンドを使用して、その旨をＴＶ３０に通知する。そして、ＴＶ３０の録画予約要求送信手段（ＣＥＣ・Ｉ／Ｆ３３）は、例えば、録画予約要求を送信したレコーダ１０１が録画予約不可な状態にある場合、録画予約要求を他のレコーダ１０２あるいはレコーダ１０３に自動的に送信する。
【００４４】
ここで、録画予約データは、録画予約するチャンネル、録画開始日時、録画終了日時、録画モード（ＳＰ（標準）／ＬＰ（長時間）など）、録画容量のいずれか複数を含む。なお、録画容量は録画時間と録画モードが決定した時点で自動的に算出され、録画予約データとして登録される。ＨＯＳＴ・ＣＰＵ１２は、ＴＶ３０から録画予約要求を受信すると、ＨＤＤ１７の空き容量及び録画予約データ記憶部１５の設定済み録画予約データを参照し、その結果、録画日時の重複あるいは録画容量の不足があった場合、録画予約要求による録画予約ができないと判定する。
【００４５】
ＴＶ３０は、複数のレコーダ１０１〜１０３全てが録画予約不可な状態にある場合、録画予約要求による録画予約ができない旨を通知する。これは、例えば、ＯＳＤ処理部３６が、録画予約不可を示すメッセージ（オンスクリーン信号）を生成し、これを表示部３７から表示することで、ユーザに通知するようにしてもよい。また、録画予約不可を示す音声メッセージを生成し、図示しないスピーカから音声出力するようにしてもよい。
【００４６】
また、ＴＶ３０は、ＴＶ３０からの録画予約要求の録画予約データが設定された、すなわち録画予約要求を受け付けたレコーダがどれであるかを通知するようにしてもよい。これは、例えば、ＯＳＤ処理部３６が、録画予約されたレコーダを示すメッセージ（例えばレコーダの固有情報など）を生成し、これを表示部３７から表示することで、ユーザに通知するようにしてもよい。また、録画予約されたレコーダを示す音声メッセージを生成し、図示しないスピーカから音声出力するようにしてもよい。
【００４７】
また、レコーダ１０は、録画容量の不足により録画予約ができない場合であって、録画モードを変更することにより録画予約が可能となる場合、その旨をＴＶ３０に通知するようにしてもよい。例えば、ＳＰモードでは録画容量が不足して録画予約できないが、ＬＰモードに変更すれば録画予約できる場合、ＴＶ３０は、後述の図７に示すように、録画モードを変更するかどうかをユーザに確認するための録画モード確認画面を表示する。そして、ＴＶ３０は、ＣＥＣコマンドを使用して、録画モードを変更するか否かをレコーダ１０へ通知する。レコーダ１０は、ＣＥＣコマンドを受けて、録画モードの変更が許可された場合に録画モードを変更して録画予約を実行する。
【００４８】
また、レコーダ１０は、録画モード確認画面をＴＶ３０から表示させることなく、ＳＰモードからＬＰモードへ変更して録画予約を実行した後に、その結果をＴＶ３０に通知するようにしてもよい。この方法によれば、録画モードの変更がユーザ確認なしに自動的に行われるため、画質にこだわらず、とにかく録画優先というユーザにとっては使い勝手がよい。
【００４９】
（第２の実施形態）
図３は、本発明の第２の実施形態に係る録画予約システムの構成例を示すブロック図である。レコーダ１０は、前述したＨＤＭＩトランスミッタ１１、ＨＯＳＴ・ＣＰＵ１２、フロントマイコン１３、ＣＥＣ・Ｉ／Ｆ１４に加えて、録画予約データを記憶する録画予約データ記憶部１５と、ＨＤＭＩ接続するためのＨＤＭＩコネクタ１６と、番組コンテンツ（映像／音声データ）を記憶するハードディスク（ＨＤＤ）１７と、テレビジョン放送信号を受信するチューナ１８とを備えて構成される。
【００５０】
また、ＴＶ３０は、前述したＨＯＳＴ・ＣＰＵ３１、モニターマイコン３２、ＣＥＣ・Ｉ／Ｆ３３、受光部３４に加えて、ＴＶ３０の録画予約データ（視聴予約データ）を記憶するメモリ３５と、各種のオンスクリーン信号を生成するＯＳＤ処理部３６と、液晶ディスプレイなどで構成される表示部３７と、本発明の接続手段に相当するＨＤＭＩコネクタ３８と、レコーダ１０からの空き容量及び設定済み録画予約データを含む録画予約状態情報をレコーダ毎に記憶する録画予約状態情報記憶部３９とを備えて構成される。
【００５１】
本実施形態のＴＶ３０はＨＤＭＩコネクタ３８を介してレコーダ１０１と接続され、さらに他のレコーダ１０２，１０３と直接にあるいはＡＶアンプなどの他の外部機器を介して間接に接続されているものとする。これら複数のレコーダ１０１，１０２，１０３をレコーダ１０でしばしば代表する。ＴＶ３０は、例えば、複数のレコーダ１０１，１０２，１０３とＣＥＣ接続が確立されたときに、ＣＥＣコマンドを使用して、複数のレコーダ１０１，１０２，１０３から空き容量と設定済み録画予約データとを含む録画予約状態情報を取得する。そして、取得した録画予約状態情報をレコーダ毎に予め記憶しておく。ＴＶ３０は、ユーザにより録画予約操作がなされると、記憶した録画予約状態情報を参照し、録画予約可能なレコーダを検索する。そして、録画予約可能なレコーダが検索された場合、当該レコーダに録画予約要求を送信して録画予約設定し、検索されなかった場合、ＴＶ３０に接続された複数のレコーダのいずれでも録画予約ができない旨を示すメッセージを画面上に表示する。
【００５２】
図３において、ＴＶ３０は、ＣＥＣコマンドを使用して、複数のレコーダ１０１，１０２，１０３それぞれから、ＨＤＤ１７の空き容量及び録画予約データ記憶部１５の設定済み録画予約データを含む録画予約状態情報を取得する録画予約状態情報取得手段と、取得した録画予約状態情報をレコーダ毎に記憶する記憶手段と、ユーザ操作に従って録画予約データを入力する録画予約データ入力手段と、録画予約データ入力手段により録画予約データが入力されると、記憶手段に記憶された複数のレコーダ１０１，１０２，１０３の録画予約状態情報を参照し、録画予約可能なレコーダを検索する検索手段と、ＣＥＣコマンドを使用して、録画予約データ入力手段により入力された録画予約データに基づく録画予約要求を、検索手段で検索されたレコーダに送信する録画予約要求送信手段とを備えて構成される。
【００５３】
録画予約状態情報取得手段はＣＥＣ・Ｉ／Ｆ３３、モニターマイコン３２、及びＨＯＳＴ・ＣＰＵ３１により実現され、記憶手段は録画予約状態情報記憶部３９により実現される。また、録画予約データ入力手段はリモコン装置Ｒにより実現され、検索手段はＨＯＳＴ・ＣＰＵ３１により実現され、録画予約要求送信手段はＣＥＣ・Ｉ／Ｆ３３、モニターマイコン３２、及びＨＯＳＴ・ＣＰＵ３１により実現される。
【００５４】
ＨＯＳＴ・ＣＰＵ３１は、ＯＳＤ処理部３６を制御して、ＥＰＧ（電子番組表）画面あるいは録画予約画面を生成・表示させ、ユーザはＥＰＧ画面あるいは録画予約画面に対して、リモコン装置Ｒを操作して録画予約データを入力する。入力された録画予約データはメモリ３５に記憶される。そして、この録画予約データは、録画予約可能なレコーダが検索されると、ＣＥＣコマンドを使用して、録画予約要求として、検索されたレコーダへ送信される。
【００５５】
ＴＶ３０は、複数のレコーダ１０１，１０２，１０３から録画予約状態情報の更新通知があった場合、更新通知に基づいて録画予約状態情報記憶部３９に記憶されている録画予約状態情報を更新するようにしてもよい。これにより、ＴＶ３０はレコーダ１０１，１０２，１０３における最新の録画予約状況を知ることができるため、より精度の高い録画予約を行うことができる。
【００５６】
ここで、録画予約データは、録画予約するチャンネル、録画開始日時、録画終了日時、録画モード（ＳＰ（標準）／ＬＰ（長時間）など）、録画容量のいずれか複数を含む。なお、録画容量は録画時間と録画モードが決定した時点で自動的に算出され、録画予約データとして登録される。ＨＯＳＴ・ＣＰＵ３１は、リモコン装置Ｒから録画予約データが入力されると、録画予約状態情報記憶部３９に記憶された複数のレコーダ１０１，１０２，１０３の録画予約状態情報（空き容量及び設定済み録画予約データ）を参照し、その結果、録画日時の重複あるいは録画容量の不足があった場合、当該レコーダについて録画予約データによる録画予約ができないと判定する。
【００５７】
ＴＶ３０は、複数のレコーダ１０１〜１０３全てが録画予約不可な状態にある場合、録画予約データによる録画予約ができない旨を通知する。これは、例えば、ＯＳＤ処理部３６が、録画予約不可を示すメッセージ（オンスクリーン信号）を生成し、これを表示部３７から表示することで、ユーザに通知するようにしてもよい。また、録画予約不可を示す音声メッセージを生成し、図示しないスピーカから音声出力するようにしてもよい。
【００５８】
また、ＴＶ３０は、ＴＶ３０から録画予約要求が送信されたレコーダがどれであるかを通知するようにしてもよい。これは、例えば、ＯＳＤ処理部３６が、録画予約されたレコーダ１０を示すメッセージ（例えばレコーダの固有情報など）を生成し、これを表示部３７から表示することで、ユーザに通知するようにしてもよい。また、録画予約されたレコーダを示す音声メッセージを生成し、図示しないスピーカから音声出力するようにしてもよい。
【００５９】
また、録画容量の不足により録画予約ができないと判定されたレコーダが、録画モードを変更することにより録画予約が可能となる場合、例えば、ＳＰモードでは録画容量が不足して録画予約できないが、ＬＰモードに変更すれば録画予約できる場合、ＴＶ３０は、後述の図７に示すように、録画モードを変更するかどうかをユーザに確認するための録画モード確認画面を表示する。そして、ＴＶ３０は、録画モードの変更が許可された場合に録画モードを変更し、録画モードの変更を反映した録画予約要求を当該レコーダへ送信する。
【００６０】
また、ＴＶ３０は、録画モード確認画面を画面表示させることなく、ＳＰモードからＬＰモードへ変更して録画予約を実行した後に、その結果を画面上で通知するようにしてもよい。この方法によれば、録画モードの変更がユーザ確認なしに自動的に行われるため、画質にこだわらず、とにかく録画優先というユーザにとっては使い勝手がよい。
【００６１】
図４は、本発明に係る録画予約システムの接続例を示す図である。本例において、表示装置であるテレビＡを１階層目に配置し、テレビＡに直接接続されている外部機器（ＡＶアンプ１，レコーダ１）を２階層目に配置し、３階層目以降についても同様に当該階層の外部機器に直接接続されている外部機器を次階層に配置してなるツリー構造のネットワークを構成する。このようなネットワーク構成において、テレビＡは、ネックワークを構成する特定の外部機器のアドレスを指定して録画予約要求を送信することができる。
【００６２】
ここで、ＣＥＣにおける論理アドレスと物理アドレスについて簡単に説明する。まず、論理アドレスは、ＨＤＭＩ  ＣＥＣにおける現在のバージョンの規格では、０〜１５まで扱えることになっており、ＨＤＭＩネットワーク内では唯一名となっている。この論理アドレスは外部機器の種類に応じて異なっている。
【００６３】
また、物理アドレスは、ＨＤＭＩネットワーク内では唯一名となっているが、外部機器がＨＤＭＩネットワークに追加されたり、切り離されたりすると自動的に調整される。物理アドレスは、５階層のアドレスを持ち、同一階層における唯一番号ｎから構成され、ｎ．ｎ．ｎ．ｎ形式で表現される。表示装置に直接接続された外部機器の階層を第１階層とした場合、この第１階層の機器に接続された外部機器が第２階層となり、表示装置から離れるに従って階層番号を増やしていく。そして、上記形式ｎ．ｎ．ｎ．ｎの左端のｎから右へ行くに従って階層番号が増えるように表記する。
【００６４】
例えば、表示装置はルートデバイスであり、“０．０．０．０”の物理アドレスを持つ。この表示装置に直接２台の外部機器が接続された場合には、１台目の外部機器の物理アドレスは、“１．０．０．０”、２台目の外部機器の物理アドレスは、“２．０．０．０”と表記する。そして、２台目の外部機器に３台の外部機器を接続すると、それぞれの物理アドレスは、“２．１．０．０”、“２．２．０．０”、“２．３．０．０”と表記する。
【００６５】
このような論理アドレスと物理アドレスを持つＣＥＣコマンドを使用することで、たとえ複数台の出力装置が接続されていても、特定の１台を指定してＣＥＣコマンドを送信することができる。
【００６６】
図５は、本発明の第１の実施形態に係る録画予約システムによる録画予約方法の一例を説明するためのフロー図である。本例は前述の図２に示した構成（第１の実施形態）に基づいて説明するものとする。まず、ＴＶ３０は、ユーザ操作により「録画予約」が指定されると、ＥＰＧ画面又は予約設定画面を表示させ、この画面上から録画予約データ（録画予約するチャンネル、録画開始日時、録画終了日時、録画モード、録画容量など）を入力し、録画予約を行う（ステップＳ１）。
【００６７】
次に、ＴＶ３０は、ＣＥＣコマンドを使用して、録画予約データに基づく録画予約要求を複数のレコーダ１０１，１０２，１０３のいずれかへ送信する（ステップＳ２）。この際、最初に送信するレコーダ１０１は、メニューで設定されているレコーダ、あるいは、予約設定時に設定したレコーダであってもよい。
【００６８】
次に、レコーダ１０１は、ＴＶ３０からの録画予約要求を受信し（ステップＳ３）、ＴＶ３０からの録画予約要求と、自身の既録画予約データ（ＨＤＤ１７の空き容量と録画予約データ記憶部１５の設定済み録画予約データ）とを比較し（ステップＳ４）、録画予約可能かどうかを判定する（ステップＳ５）。レコーダ１０１は、ステップＳ５において、録画予約可能な場合（ＹＥＳの場合）、ＴＶ３０からの録画予約要求に基づいて、録画予約を設定する（ステップＳ６）。一方、ステップＳ５において、録画予約不可の場合（ＮＯの場合）、ＣＥＣコマンドを使用して、録画予約設定できない旨をＴＶ３０へ通知する（ステップＳ７）。
【００６９】
次に、ＴＶ３０は、レコーダ１０１からの録画予約設定不可通知を受信すると（ステップＳ８）、他のレコーダが接続されているか検索する（ステップＳ９）。ＴＶ３０は、他のレコーダの接続の有無を判定し（ステップＳ１０）、他のレコーダ（ここではレコーダ１０２，１０３）が有った場合（ＹＥＳの場合）、ステップＳ２に戻り処理を繰り返す。一方、他のレコーダがない場合（ＮＯの場合）、接続されたレコーダでは録画予約できない旨をＯＳＤ表示するなどして通知し（ステップＳ１１）、ステップＳ１で入力された録画予約要求を視聴予約として記憶する（ステップＳ１２）。
【００７０】
図６は、本発明の第２の実施形態に係る録画予約システムによる録画予約方法の一例を説明するためのフロー図である。本例は前述の図３に示した構成（第２の実施形態）に基づいて説明するものとする。まず、ＴＶ３０は、複数のレコーダ１０１，１０２，１０３との間でＣＥＣ接続が確立されると、ＣＥＣコマンドを使用して、レコーダ１０１，１０２，１０３それぞれに対して、録画予約状態情報（空き容量と設定済み録画予約データ）を送るように要求する（ステップＳ２１）。
【００７１】
次に、各レコーダ１０１，１０２，１０３は、ＴＶ３０からのデータ送信要求を受信し（ステップＳ２２）、ＨＤＤ１７の空き容量と録画予約データ記憶部１５の設定済み録画予約データとを録画予約状態情報としてＴＶ３０へ送信する（ステップＳ２３）。そして、ＴＶ３０は、レコーダ１０１，１０２，１０３からの録画予約状態情報を内蔵又は外付けのメモリである録画予約状態情報記憶部３９にレコーダ毎に記憶する（ステップＳ２４）。
【００７２】
次に、各レコーダ１０１，１０２，１０３は、録画予約状態情報が更新されたかどうかを判定し（ステップＳ２５）、更新された場合（ＹＥＳの場合）、ＣＥＣコマンドを使用して、更新データをＴＶ３０へ送信する（ステップＳ２６）。また、ステップＳ２５において、更新されていない場合（ＮＯの場合）、そのままステップＳ２７に移行する。
【００７３】
次に、ＴＶ３０は、各レコーダ１０１，１０２，１０３から更新データの通知があったかどうかを判定し（ステップＳ２７）、更新データの通知があった場合（ＹＥＳの場合）、通知された更新データに基づいて、該当レコーダの録画予約状態情報を更新する（ステップＳ２８）。また、ステップＳ２７において、更新データの通知がない場合（ＮＯの場合）、ステップＳ２９に移行する。
【００７４】
次に、ＴＶ３０は、ユーザ操作により「録画予約」が指定されると、ＥＰＧ画面又は予約設定画面を表示させ、この画面上から録画予約データ（録画予約するチャンネル、録画開始日時、録画終了日時、録画モード、録画容量など）を入力し、録画予約を行う（ステップＳ２９）。そして、入力された録画予約データにより、録画予約状態情報記憶部３９に記憶された録画予約状態情報を参照し、レコーダ１０１，１０２，１０３の中に、録画予約可能なレコーダが有るか検索する（ステップＳ３０）。
【００７５】
次に、ＴＶ３０は、ステップＳ３０において、レコーダ１０１，１０２，１０３の中に録画予約可能なレコーダが有る場合（ＹＥＳの場合）、ＣＥＣコマンドを使用して、該当レコーダに録画予約要求を送信する（ステップＳ３１）。録画予約要求を受信したレコーダは、ＴＶ３０からの録画予約要求に基づいて、録画予約を設定する（ステップＳ３２）。
【００７６】
また、ＴＶ３０は、ステップＳ３０において、レコーダ１０１，１０２，１０３の中に録画予約可能なレコーダ１０がない場合（ＮＯの場合）、接続されたレコーダでは録画予約できない旨をＯＳＤ表示するなどして通知し（ステップＳ３３）、ステップＳ２９で入力された録画予約要求を視聴予約として記憶する（ステップＳ３４）。
【００７７】
図７は、ＴＶ３０に表示される録画モード確認画面の一例を示す図である。
前述の第１の実施形態の場合、レコーダ１０が、録画容量の不足により録画予約ができない場合であって、録画モードを変更することにより録画予約が可能となる場合、その旨をＴＶ３０に通知するようにしてもよい。例えば、ＳＰモードでは録画容量が不足して録画予約できないが、ＬＰモードに変更すれば録画予約できる場合、ＴＶ３０は、図７に示すように、録画モードを変更するかどうかをユーザに確認するための録画モード確認画面を表示する。そして、ＴＶ３０は、ＣＥＣコマンドを使用して、録画モードを変更するか否かをレコーダ１０へ通知する。レコーダ１０は、ＣＥＣコマンドを受けて、録画モードの変更が許可された場合に録画モードを変更して録画予約を実行する。
【００７８】
また、前述の第２の実施形態の場合、録画容量の不足により録画予約ができないと判定されたレコーダ１０が、録画モードを変更することにより録画予約が可能となる場合、例えば、上記同様、ＳＰモードでは録画容量が不足して録画予約できないが、ＬＰモードに変更すれば録画予約できる場合、ＴＶ３０は、図７に示すように、録画モードを変更するかどうかをユーザに確認するための録画モード確認画面を表示する。そして、ＴＶ３０は、録画モードの変更が許可された場合に録画モードを変更し、録画モードの変更を反映した録画予約要求をレコーダ１０へ送信する。
【００７９】
以上説明したように、本発明によれば、複数の録画機器と表示装置とがＨＤＭＩ接続され、表示装置に録画予約要求がなされたときに、複数の録画機器の空き容量や録画予約状況から、録画予約可能な録画機器を検索して録画予約を行うことができるため、ユーザは１回だけ録画予約操作を実行すればよく、各録画機器に対して録画予約操作を繰り返す必要がない。これにより、自動的に最適な録画機器に録画予約が設定され、また、録画予約可能な録画機器がない場合でもその旨が通知されるため、ユーザは録画予約を確実且つ簡単に行うことができる。
【図面の簡単な説明】
【００８０】
【図１】本発明が適用可能なＡＶシステムの構成例を説明するためのブロック図である。
【図２】本発明の第１の実施形態に係る録画予約システムの構成例を示すブロック図である。
【図３】本発明の第２の実施形態に係る録画予約システムの構成例を示すブロック図である。
【図４】本発明に係る録画予約システムの接続例を示す図である。
【図５】本発明の第１の実施形態に係る録画予約システムによる録画予約方法の一例を説明するためのフロー図である。
【図６】本発明の第２の実施形態に係る録画予約システムによる録画予約方法の一例を説明するためのフロー図である。
【図７】ＴＶに表示される録画モード確認画面の一例を示す図である。
【符号の説明】
【００８１】
１０…出力装置（レコーダ）、１１，２２…ＨＤＭＩトランスミッタ、１２，２３，３１…ＨＯＳＴ ＣＰＵ、１３，２４…フロント マイコン、１４，２５，３３…ＣＥＣ Ｉ／Ｆ、１５…録画予約データ記憶部、１６，３８…ＨＤＭＩコネクタ、１７…ＨＤＤ、１８…チューナ、２０…リピータ機器、２１…ＨＤＭＩレシーバ、３０…表示装置（ＴＶ）、３２…モニターマイコン、３４…受光部、３５…メモリ、３６…ＯＳＤ処理部、３７…表示部、３９…録画予約状態情報記憶部、４１…ＴＭＤＳライン、４２…ＣＥＣライン。
【図１】
2008067025.tif 000003
【図２】
2008067025.tif 000004
【図３】
2008067025.tif 000005
【図４】
2008067025.tif 000006
【図５】
2008067025.tif 000007
【図６】
2008067025.tif 000008
【図７】
2008067025.tif 000009